(57)【特許請求の範囲】
【請求項１】
内燃機関の吸気通路上に設けられるケーシングと、
前記ケーシングの内部に配置されるインタークーラと
を備える吸気装置であって、
前記ケーシングは、
前記インタークーラを通過する吸気の流路抵抗を変更するシャッタを前記インタークーラの吸気流れ方向下流側に備えることを特徴とする吸気装置。
【請求項２】
前記シャッタは、前記インタークーラの出口開口と重なる第１の通気孔を有することを特徴とする請求項１に記載の吸気装置。
【請求項３】
前記シャッタは、さらに、前記インタークーラの出口開口よりも小さな第２の通気孔を有することを特徴とする請求項２に記載の吸気装置。
【請求項４】
前記シャッタを重力方向に昇降させるアクチュエータと、
前記インタークーラを通過する吸気量に応じて前記シャッタが昇降するように前記アクチュエータを制御する制御部と、
を備えることを特徴とする請求項１から３のいずれか一項に記載の吸気装置。
【請求項５】
前記制御部は、
前記吸気が所定流量よりも高流量である場合に前記シャッタが前記インタークーラの底面と該底面と対向する前記ケーシングの内壁面との間の隙間を閉鎖するように前記アクチュエータを制御する一方、前記吸気が前記所定流量よりも低流量である場合に前記シャッタが前記隙間を開放するように前記アクチュエータを制御することを特徴とする請求項４に記載の吸気装置。
【請求項６】
前記シャッタは、前記シャッタが前記隙間を開放する場合に、前記インタークーラの出口開口の流路抵抗を増大させることを特徴とする請求項５に記載の吸気装置。
【請求項７】
前記シャッタは、アルミ製であることを特徴とする請求項１から６のいずれか一項に記載の吸気装置。
【請求項８】
前記シャッタは、マグネシウムで被覆されていることを特徴とする請求項７に記載の吸気装置。
【発明の詳細な説明】
【技術分野】
【０００１】
本開示は、吸気装置に関する。
【背景技術】
【０００２】
特許文献１には、吸気を気筒内に導く吸気通路と、気筒内で発生した排気ガスを大気中に排出する排気通路とを備える車両走行用エンジン（内燃機関）が開示されている。吸気通路は、エアクリーナやスロットルバルブ等が配置される吸気管と、吸気を各気筒へ分配するインテークマニホールドと、エンジンのシリンダヘッドに形成された吸気ポートとによって構成される。インテークマニホールドは、通路断面積が拡大して設けられて吸気脈動や吸気干渉を低減させるサージタンクと、サージタンク内の吸気をエンジンの各気筒に分配する複数の吸気ブランチとを備えて形成されている。また、車両走行用エンジンには、吸気を加圧する吸気過給機（ターボチャージャ、スーパーチャージャ等）が搭載されており、吸気過給機のコンプレッサによって圧縮されて高圧になり温度上昇した吸気を強制冷却するインタークーラが配置されている。インタークーラは、サージタンクの内部に収容され、サージタンクを通過してエンジンに吸い込まれる吸気は冷却される。
【先行技術文献】
【特許文献】
【０００３】
【特許文献１】特開２０１３−２９０５０号公報
【発明の概要】
【発明が解決しようとする課題】
【０００４】
しかしながら、インテークマニホールドに設けられるサージタンク（収容空間）を大きくするにも限界があり、インタークーラにおける冷却効率を高めることが求められている。
【０００５】
上述の事情に鑑みて、本発明の少なくとも一実施形態は、インタークーラにおける冷却効率を高めることができる吸気装置を提供することを目的とする。
【課題を解決するための手段】
【０００６】
（１）本発明の少なくとも一実施形態に係る吸気装置は、内燃機関の吸気通路上に設けられるケーシングと、前記ケーシングの内部に配置されるインタークーラとを備える吸気装置であって、前記ケーシングは、前記インタークーラを通過する吸気の流路抵抗を変更するシャッタを前記インタークーラの吸気流れ方向下流側に備える。
【０００７】
上記（１）の構成によれば、シャッタがインタークーラを通過する吸気の流路抵抗を変更するので、シャッタがインタークーラを通過する吸気の流路抵抗を増大させれば、吸気がインタークーラで滞留する。これにより、吸気とインタークーラの内部を流れる冷媒との間で交換される熱量が増大するので、冷却効率の上昇を図ることができる。
【０００８】
（２）幾つかの実施形態では、上記（１）の構成において、前記シャッタは、前記インタークーラの出口開口と重なる第１の通気孔を有する。
上記（２）の構成によれば、第１の通気孔がインタークーラの出口開口と重なるようにシャッタを移動させれば、インタークーラを通過する吸気の流路抵抗を増大させることができる。
【０００９】
（３）幾つかの実施形態では、上記（２）の構成において、前記シャッタは、さらに、前記インタークーラの出口開口よりも小さな第２の通気孔を有する。
上記（３）の構成によれば、第２の通気孔がインタークーラの出口開口よりも小さいので、第２の通気孔がインタークーラの出口開口と重なるようにシャッタを移動させれば、インタークーラを通過する吸気の流路抵抗をさらに増大させることができる。
【００１０】
（４）幾つかの実施形態では、上記（１）から（３）のいずれか一つの構成において、前記シャッタを重力方向に昇降させるアクチュエータと、前記インタークーラを通過する吸気量に応じて前記シャッタが昇降するように前記アクチュエータを制御する制御部と、を備える。
上記（４）の構成によれば、制御部がインタークーラを通過する吸気量に応じてシャッタが昇降するようにアクチュエータを制御するので、インタークーラを通過する吸気量に応じてシャッタを昇降させることができる。
【００１１】
（５）幾つかの実施形態では、上記（４）の構成において、前記制御部は、前記吸気が所定流量よりも高流量である場合に前記シャッタが前記インタークーラの底面と該底面と対向する前記ケーシングの内壁面との間の隙間を閉鎖するように前記アクチュエータを制御する一方、前記吸気が前記所定流量よりも低流量である場合に前記シャッタが前記隙間を開放するように前記アクチュエータを制御する。
上記（５）の構成によれば、制御部は、吸気が所定流量よりも高流量である場合にシャッタがインタークーラの底面と該底面と対向するケーシングの内壁面との間の隙間を閉鎖するようにアクチュエータを制御する一方、吸気が所定流量よりも低流量である場合にシャッタが隙間を開放するようにアクチュエータを制御する。したがって、吸気が所定流量よりも高流量である場合に吸気とインタークーラの内部を流れる冷媒との間で交換する熱量を増大させることができる。また、所定流量よりも低流量である場合に隙間を通過した吸気がインタークーラの吸気流れ方向下流域に凝縮した凝縮水を吹き飛ばすので、一度に大量の凝縮水が気筒（シリンダ）内に浸入するのを抑制できる。
【００１２】
（６）幾つかの実施形態では、上記（５）の構成において、前記シャッタは、前記シャッタが前記隙間を開放する場合に、前記インタークーラの出口開口の流路抵抗を増大させる。
上記（６）の構成によれば、シャッタが隙間を開放する場合に、シャッタがインタークーラの出口開口の流路抵抗を増大させるので、隙間を通過した吸気の流れを強めることができる。
【００１３】
（７）幾つかの実施形態では、上記（１）から（６）のいずれか一つの構成において、前記シャッタは、アルミ製である。
上記（７）の構成によれば、シャッタは、アルミ製であるので、熱伝導性に優れ、冷却効率を高めることができる。
【００１４】
（８）幾つかの実施形態では、上記（７）の構成において、前記シャッタは、マグネシウムで被覆されている。
上記（８）の構成によれば、シャッタは、マグネシウムで被覆されるので、酸性液中でシャッタ（母材となるアルミ）を保護することができる。
【発明の効果】
【００１５】
本発明の少なくとも一実施形態によれば、吸気とインタークーラの内部を流れる冷媒との間で交換される熱量が増大するので、冷却効率の上昇を図ることができる。
【図面の簡単な説明】
【００１６】
【図１】本発明の実施形態に係る内燃機関の構成を概略的に示す模式図である。
【図２】図１に示したインテークマニホールド及びインタークーラの構成を概略的に示す分解斜視図である。
【図３】図２に示したインタークーラの構成を詳細に示す分解斜視図である。
【図４】本発明の実施形態１に係るインテークマニホールド及びインタークーラの構成を概略的に示す斜視図である。
【図５】図４に示したインタークーラの構成を概略的に示す断面図であって、シャッタが隙間を閉鎖した状態を示す図である。
【図６】図４に示したインタークーラの構成を概略的に示す断面図であって、シャッタが隙間を開放した状態を示す図である。
【図７】本発明の実施形態２に係るインタークーラのシャッタを概略的に示す図である。
【発明を実施するための形態】
【００１７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１８】
図１は、本発明の実施形態に係る内燃機関１の構成を概略的に示す模式図である。図２は、図１に示したインテークマニホールド及びインタークーラの構成を概略的に示す分解斜視図であり、図３は、図２に示したインタークーラの構成を詳細に示す分解斜視図である。
【００１９】
本発明の実施形態に係る内燃機関１（以下「エンジン１」という）は、コモンレール式のディーゼルエンジンであって、図１に示すように、内燃機関本体２（以下「エンジン本体２」という）、燃料供給系統３、吸気系統４、排気系統５、及び排気再循環系統６を備えて構成されている。
【００２０】
エンジン本体２は、シリンダブロック２１と、シリンダブロック２１の上に固定されるシリンダヘッド２２とにより構成される。シリンダブロック２１には、複数のシリンダ（気筒）が一列に設けられ、その下方域に共通する一つのクランクシャフト２３が回転可能に支持されている。シリンダは、円筒形に形成され、その内部にはピストン２４が上下方向に往復動可能に収容されている。ピストン２４は、頭部が閉塞された円筒形に形成され、その胴部には径方向に貫通するピン穴が設けられている。また、ピストン２４の胴部には、コネクティングロッド２５の一端（スモール・エンド）が収容され、ピン穴を挿通するピストンピンにより、コネクティングロッド２５の一端がピストン２４に連結されている。そして、シリンダヘッド２２とピストン２４との間には燃焼室が形成される。
【００２１】
クランクシャフト２３は、コネクティングロッド２５とともにピストン２４の往復運動（下降運動）を回転運動に変換するためのものであり、クランクシャフト２３の回転中心を通る軸線に対して平行にクランクピン２３１を有している。そして、クランクピン２３１には、コネクティングロッド２５の他端（ラージ・エンド）が連結されている。これにより、ピストン２４の往復運動は、クランクシャフト２３の回転運動に変換される。
【００２２】
シリンダヘッド２２には、シリンダごとに吸気ポート２２１と排気ポート２２２とが設けられている。
また、各吸気ポート２２１には、吸気ポート２２１を開閉する吸気弁２６が取り付けられている。吸気ポート２２１は、吸入行程において開放され、吸気ポート２２１からシリンダ内に混合ガスの吸入が可能となり、圧縮行程、膨張行程及び排気行程において閉鎖される。
また、各排気ポート２２２には、排気ポート２２２を開閉する排気弁２７が取り付けられている。排気ポート２２２は、排気行程において開放され、排気ポート２２２から排気ガスの排出が可能となり、吸入行程、圧縮行程及び膨張工程において閉鎖される。これにより、燃焼室は、圧縮行程と膨張工程において閉鎖される。
【００２３】
また、シリンダヘッド２２には、シリンダごとにグロープラグ２８が設けられている。グロープラグ２８は、冷間時の始動を助ける補助熱源であって、燃料供給系統３から供給（噴射）された燃料が直接触れる位置に配置される。
【００２４】
燃料供給系統３は、所定のタイミングで所定量の燃料をシリンダ内に噴射するためのものであり、本実施形態では、コモンレール式の燃料噴射装置３０を備えている。コモンレール式の燃料噴射装置３０は、シリンダごとに設けられたインジェクター３１と、各インジェクター３１に共通するコモンレール３２と、コモンレール３２に高圧燃料を供給する高圧燃料ポンプ３３とを備えて構成されている。これにより、コモンレール式の燃料噴射装置３０は、一燃焼サイクル中で、パイロット噴射、プレ噴射、主噴射、アフター噴射及びポスト噴射に分けて燃料を噴射することができる。
【００２５】
吸気系統４は、エンジン本体２に空気を供給するためのものであり、吸気装置を構成する。吸気系統４は、外部からエンジン本体２に空気を供給するための吸気通路４１（吸気管）を備えている。吸気通路４１は、上流から下流（外部からエンジン本体２）に向けて、エアクリーナ４２、ターボチャージャ４３（吸気過給機）、インテークマニホールド４５及び吸気冷却装置７を備えている。
【００２６】
エアクリーナ４２は、大気中に含まれる粉塵等を分離し清浄な空気をエンジン本体２に供給するためのものであり、吸気通路４１の最上流に配置されている。
【００２７】
ターボチャージャ４３（吸気過給機）は、エンジン本体２に吸気（空気）を過給するためのものであり、吸気通路４１にはコンプレッサ（図示せず）が設けられ、後述する排気通路５１に排気タービン（図示せず）が設けられている。そして、コンプレッサのコンプレッサホイールと、排気タービンのタービンホイールとが同軸に設けられ、タービンホイールがコンプレッサを駆動する。これにより、吸気通路４１の吸気はコンプレッサで圧縮され、圧縮された吸気はエンジン本体２に供給される。
【００２８】
インテークマニホールド４５は、各吸気ポート２２１に吸気を分配するための多気管であり、吸気通路４１の下流に設けられ、端部（吸気ブランチ４５１）が各吸気ポート２２１に接続されている。これにより、吸気通路４１に供給された吸気Ａは、インテークマニホールド４５で均等に分配され、各吸気ポート２２１に均等に供給される。
【００２９】
図２に示すように、インテークマニホールド４５は、吸気ブランチの集合部分（本体部４５２）に広い空間４５３が設けられている。この空間４５３は、複数気筒へ供給する吸気Ａを均等化等する目的で設けられ、本実施形態にかかるインテークマニホールド４５では、後述するインタークーラ７１が収容可能なケーシングを構成している。この意味においてこの空間４５３はインタークーラ７１の収容空間を構成する。空間４５３（以下「収容空間４５３」という）は、上方からインタークーラ７１が収容されるように、上方域が開放され、上方からインタークーラ７１が収容される。これによりケーシングはインテークマニホールド４５の一部を構成し、上部に収容開口（開口部）を有し、インタークーラ７１が該収容開口から下方に収容される。
尚、インタークーラ７１とインテークマニホールド４５との間にはガスケット７１１が設けられ、インタークーラ７１とインテークマニホールド４５との間から吸気Ａが漏れることがないようにシールされている。
上述した実施形態では、上部に収容開口（開口部）を有し、インタークーラ７１が該収容開口から下方に収容される例を示したが、これに限られるものではなく、例えば、側部又は下部に収容開口を有し、側方又は下方に収容されるものであってもよい。
【００３０】
吸気冷却装置７は、ターボチャージャ４３（吸気過給機）で圧縮され、温度が高くなった吸気Ａ（空気）を冷却するためのものである。吸気冷却装置７には、空冷式と水冷式とがあるが、本実施形態に係る吸気冷却装置７は、水冷式である。
図１に示すように、水冷式の吸気冷却装置７は、インタークーラ７１、ラジエータ７２及びウォータポンプ７３を備えて構成されている。
【００３１】
図３に示すように、インタークーラ７１は、インタークーラ７１の内部を流れる冷却水とインタークーラ７１を通過する吸気Ａとの間で熱を交換する熱交換器であり、インテークマニホールド４５に形成された収容開口（開口部）の縁部に固定されるとともに、収容開口を閉鎖する取付部７９を有している。また、インタークーラ７１は、冷却水が通過する冷却水層７４と、吸気Ａが通過する空気層７５とが交互に積層されて構成されている。
冷却水層７４は、カッププレート７４ａ，７４ｂで構成され、上カッププレート７４ａと下カッププレート７４ｂが重ねられ、その間に冷却水が流れる冷却水通路が形成される。カッププレート７４ａ，７４ｂは、平面視矩形形状に形成され、その長手方向一端側に短辺に沿って第１開口７４ｃと第２開口７４ｄとが設けられている。上カッププレート７４ａと下カッププレート７４ｂとの間には、長手方向に沿って延びる波板状のインナーフィン７６が設けられ、これにより、冷却水通路が形成されている。また、上カッププレート７４ａと下カッププレート７４ｂは、幅方向中央を長手方向に沿って延びる仕切部７７を有している。これにより、上カッププレート７４ａと下カッププレート７４ｂとの間には、平面視Ｕ字状を形成する冷却水通路が形成される。
【００３２】
そして、例えば、第１開口７４ｃから流入した冷却水は、仕切部７７によって仕切られた一方の流路を、第１開口７４ｃとは反対側の短辺に向かって流れ、該反対側の短辺近傍でＵターンする。そして、Ｕターンした冷却水は、仕切部７７で仕切られた他方の流路を第２開口７４ｄに戻るように流れて第２開口７４ｄから流出する。
【００３３】
空気層７５は、複数の冷却水層７４の間に設けられている。空気層７５は、薄板が蛇行するように折り曲げられたコルゲートフィン７８により構成され、コルゲートフィン７８の一方の折り曲げ頂部が冷却水層７４を構成する下カッププレート７４ｂに接合され、他方の折り曲げ頂部が該冷却水層７４と対向する冷却水層７４を構成する上カッププレート７４ａに接合されている。
【００３４】
かかるインタークーラ７１によれば、インタークーラ７１をインテークマニホールド４５の収容空間に収容するので、インタークーラ７１を通過した冷却後の吸気Ａが直ぐにエンジン本体２の吸気ポート２２１を介して燃焼室に導入されるためにエンジン本体２の燃焼効率の向上に適している。
【００３５】
図１に示すように、ラジエータ７２は、インタークーラ７１でインタークーラ７１を通過する吸気Ａとの間で熱交換され、高温となった冷却水を冷却するためのものであり、走行風等との熱交換により冷却水を冷却するように構成されている。ラジエータ７２は、入口側がインタークーラ７１に接続され、出口側がウォータポンプ７３に接続されている。これにより、ラジエータ７２にはインタークーラ７１で高温となった冷却水が供給され、ラジエータ７２で冷却された冷却水がウォータポンプ７３に供給される。
【００３６】
ウォータポンプ７３は、ラジエータ７２で冷却された冷却水をインタークーラ７１に供給するためのものであり、本実施形態に係るウォータポンプ７３は、電動式のウォータポンプ７３が採用されている。
【００３７】
排気系統５は、エンジン本体２から排気ガスを排出するためのものであり、エンジン本体２から外部に排気ガスを排出するための排気通路５１（排気管）を備えている。排気通路５１は、上流から下流（エンジン本体２から外部）に向けて、エキゾーストマニホールド５２、排気タービン（ターボチャージャ４３）、酸化触媒５４及び微粒子捕集フィルター５５を備えている。
【００３８】
エキゾーストマニホールド５２は、各排気ポート２２２から排出された排気ガスが集合する多気管であり、排気通路５１の上流に設けられ、端部（排気ブランチ）が各排気ポート２２２に接続されている。これにより、各排気ポート２２２からエキゾーストマニホールド５２に排出された排気ガスは、エキゾーストマニホールド５２で集合する。
【００３９】
排気タービン（図示せず）は、上述したように、ターボチャージャ４３を構成するものであり、排気通路５１に設けられている。これにより、エンジン本体２から排出された排気ガスがタービンホイール（図示せず）を回転させ、コンプレッサを駆動するので、吸気通路４１の空気（吸気）はコンプレッサで圧縮され、圧縮された空気はエンジン本体２に供給される（過給）。
【００４０】
酸化触媒５４（Ｄｉｅｓｅｌ  Ｏｘｉｄａｔｉｏｎ  Ｃａｔａｌｙｓｔ）は、排気ガスに含まれる炭化水素（ＨＣ）を酸化するためのものであり、ターボチャージャ４３のタービンの直下流に設けられている。酸化触媒５４は、円柱状に形成され、円筒の前後に円錐を組み合わせた形状に形成された触媒収容部５６の上流側部分に収容されている。
【００４１】
微粒子捕集フィルター５５（Ｄｉｅｓｅｌ  ｐａｒｔｉｃｕｌａｔｅ  ｆｉｌｔｅｒ）は、酸化触媒５４を通過した排気ガスに含まれる微粒子（ＰＭ）を捕集するためのものであり、酸化触媒５４の下流に設けられている。微粒子捕集フィルター５５は、酸化触媒５４と同一直径の円柱状に形成され、上述した触媒収容部５６の下流側部分に収容されている。
【００４２】
排気再循環系統６は、エンジン本体２から排出された排気ガスの一部を吸気系統４に供給（再循環）するものであり、排気系統５と吸気系統４とに跨がって設けられている。排気再循環系統６は、排気通路５１においてターボチャージャ４３（吸気過給機）の下流、具体的には、微粒子捕集フィルター５５の下流から分岐し、吸気通路４１においてターボチャージャ４３の上流に合流するＥＧＲ通路６１（排気再循環通路）を備えている。これにより、排気系統５を流れる排気ガスの一部がＥＧＲ通路を通り吸気通路４１に導入される（排気再循環）。
【００４３】
ＥＧＲ通路６１には、上流側（排気系統５側）から下流側（吸気系統４側）に向けて順に、ＥＧＲクーラー６２及びＥＧＲバルブ６３を備えている。
ＥＧＲクーラー６２は、ＥＧＲ通路６１に導入された排気ガスを冷却するためのものであり、ＥＧＲ通路６１に導入された排気ガスは、ＥＧＲクーラー６２を通過する際に冷却される。
ＥＧＲバルブ６３は、排気再循環する排気ガスの流量を調整するためのものであり、その開度により任意の流量の排気ガスがＥＧＲ通路６１を通り吸気通路４１に供給される。
【００４４】
［実施形態１］
図４は、本発明の実施形態１に係るインテークマニホールド４５Ｂ及びインタークーラ７１Ｂの構成を概略的に示す斜視図である。図５及び図６は、図４に示したインタークーラ７１Ｂの構成を概略的に示す断面図であって、図５は、シャッタ８２Ｂが隙間Ｔを閉鎖した状態を示す図であり、図６は、シャッタ８２Ｂが隙間Ｔを開放した状態を示す図である。
【００４５】
図４に示すように、本発明の実施形態２に係るインタークーラ７１Ｂは、吸気流れ方向下流側にインタークーラ７１Ｂを通過する吸気Ａの流路抵抗を増大させるシャッタ８２Ｂを備える。
この構成によれば、シャッタ８２Ｂがインタークーラ７１Ｂを通過する吸気Ａの流路抵抗を増大させるので、吸気Ａがインタークーラ７１Ｂで滞留する。これにより、吸気Ａとインタークーラ７１Ｂの内部を流れる冷媒（冷却水）との間で交換される熱量が増大するので、冷却効率の上昇を図ることができる。
【００４６】
シャッタ８２Ｂは、重力方向に昇降可能であって、シャッタ８２Ｂが上昇した場合に収容空間４５３を画成する内壁（底壁）４５４とインタークーラ７１Ｂの下面との間に形成される隙間Ｔが開放され（図５参照）、シャッタ８２Ｂが下降した場合に隙間Ｔが閉鎖される（図６参照）。
この構成によれば、シャッタ８２Ｂが上昇した場合にインタークーラ７１Ｂの吸気流れ方向下流側で凝縮した凝縮水Ｗが吹き飛ばされ（図６参照）、シャッタ８２が下降した場合に隙間Ｔが閉鎖され、隙間Ｔを吸気Ａが流れなくなるので、吸気Ａとインタークーラ７１との間における熱交換の効率向上を図ることができる。
【００４７】
また、本発明の実施形態に係るシャッタ８２Ｂは、インタークーラ７１Ｂの空気層（出口開口）７５と重なる通気口（第１の通気孔）８２Ｂ１を有する。
この構成によれば、通気口（第１の通気孔）８２Ｂ１がインタークーラ７１Ｂの空気層（出口開口）７５と重なるので、シャッタ８２Ｂを移動させることにより、インタークーラ７１Ｂを通過する吸気Ａの流路抵抗を増大させることができる。
【００４８】
図５に示すように、通気口８２Ｂ１は、シャッタ８２Ｂが下降し、シャッタ８２Ｂが隙間Ｔを閉鎖した場合に、インタークーラ７１Ｂの空気層（出口開口）７５と重なる位置に設けられている。
これにより、シャッタ８２Ｂが隙間Ｔを閉鎖した場合に、空気層７５を通過する吸気Ａの流路断面積が最大（全開）となる。
【００４９】
また、本発明の実施形態に係るシャッタ８２Ｂは、インタークーラ７１Ｂの空気層（出口開口）７５よりも小さな通気孔（第２の通気孔）８２Ｂ２を有する。
この構成によれば、通気孔（第２の通気孔）８２Ｂ２がインタークーラ７１Ｂの空気層（出口開口）７５よりも小さいので、通気孔（第２の通気孔）８２Ｂ２がインタークーラ７１Ｂの空気層（出口開口）７５と重なることにより、インタークーラ７１Ｂを通過する吸気Ａの流路抵抗を増大させることができる。
【００５０】
図６に示すように、通気孔８２Ｂ２は、シャッタ８２Ｂが下降した場合に冷却水層７４と重なり、シャッタ８２Ｂが上昇した場合に空気層７５と挿通する位置に設けられている。
これにより、シャッタ８２Ｂが隙間Ｔを開放した場合に、空気層７５を通過する吸気Ａの流路断面積が小さくなる。
【００５１】
また、本発明の実施形態に係るエンジン１は、シャッタ８２Ｂを重力方向に昇降させるアクチュエータ８３と、インタークーラ７１Ｂを通過する吸気量に応じてシャッタ８２Ｂが昇降するようにアクチュエータ８３を制御する制御部９と、を備える。
この構成によれば、制御部９がインタークーラ７１Ｂを通過する吸気量に応じてシャッタ８２Ｂが昇降するようにアクチュエータ８３を制御するので、インタークーラ７１Ｂを通過する吸気量に応じてシャッタ８２Ｂを昇降させることができる。
【００５２】
また、本発明の実施形態に係るシャッタ８２Ｂは、シャッタ８２Ｂが隙間Ｔを開放する場合に、インタークーラ７１Ｂの空気層（出口開口）７５の流路抵抗を増大させる。
この構成によれば、シャッタ８２Ｂが隙間Ｔを開放する場合に、シャッタ８２Ｂがインタークーラ７１Ｂの空気層（出口開口）７５の流路抵抗を増大させるので、隙間Ｔを追加した吸気Ａの流れを強めることができる。
【００５３】
本発明の実施形態に係る制御部９は、吸気Ａが所定流量よりも高流量である場合にシャッタ８２Ｂが隙間Ｔを閉鎖するようにアクチュエータ８３を制御する一方、吸気Ａが所定流量よりも低流量である場合にシャッタ８２Ｂが隙間Ｔを開放するようにアクチュエータ８３を制御する。
この構成によれば、制御部９は、吸気Ａが所定流量よりも高流量である場合にシャッタ８２Ｂが隙間Ｔを閉鎖するようにアクチュエータ８３を制御する一方、吸気Ａが所定流量よりも低流量である場合にシャッタ８２Ｂが隙間Ｔを開放するようにアクチュエータ８３を制御する。したがって、吸気Ａが所定流量よりも高流量である場合にはインタークーラ７１Ｂを通過した吸気Ａがインタークーラ７１Ｂの吸気流れ方向下流域で凝縮した凝縮水（図示せず）を吹き飛ばし、吸気Ａが所定流量よりも低流量である場合には隙間Ｔを通過した吸気Ａがインタークーラ７１Ｂの吸気流れ方向下流域で凝縮した凝縮水Ｗを吹き飛ばす（図６参照）。これにより、吸気Ａが所定流量よりも高流量である場合と低流量である場合の両方において、インタークーラ７１Ｂの吸気流れ方向下流域で凝縮した凝縮水Ｗを吹き飛ばすことができる。
尚、シャッタ８２を重力方向に昇降させるアクチュエータ８３は、ソレノイド、電動モータ等任意のものを用いることができる。
【００５４】
［実施形態２］
図７は、本発明の実施形態２に係るインタークーラ７１Ｃのシャッタ８２Ｃを概略的に示す図である。
図７に示すように、本発明の実施形態２に係るシャッタ８２Ｃは、上述した本発明の実施形態１に係るシャッタ８２Ｂと同様に、重力方向に昇降可能である。また、本発明の実施形態に係るシャッタ８２Ｃは、重力方向にインタークーラ７１Ｃを通過する吸気Ａの流路断面積を異ならせる通気孔８２Ｃ１，８２Ｃ２を有する。
この構成によれば、シャッタ８２Ｃを重力方向に昇降させることにより、インタークーラ７１Ｂを通過する吸気Ａの流路断面積を異ならせることができる。
【００５５】
本実施形態２に係るシャッタ８２Ｃは、空気層７５と重なる通気口８２Ｃ１と、重力方向に密度の異なる複数の通気孔８２Ｃ２とを有する。重力方向に密度の異なる複数の通気孔８２Ｃ２は、例えば、同一の大きさで設けられ、シャッタ８２Ｃを重力方向に上昇させた場合に空気層７５と重なる通気孔８２Ｃ２が順次減少するように設けられている。
この構成によれば、シャッタ８２Ｃを重力方向に上昇させ、停止する位置によりインタークーラ７１Ｃを通過する吸気Ａの流路断面積を異ならせることができる。また、流路断面積を大から小に順次移行することができる。
【００５６】
［実施形態３］
本発明の実施形態３に係るシャッタ８２Ｂ，８２Ｃは、アルミ製である。尚、アルミ製としたのは、ステンレス製のシャッタよりも熱伝導率に優れるからであり、純アルミ（アルミニウム）のほかにアルミニウム合金が含まれる。
本発明の実施形態３に係るシャッタ８２Ｂ，８２Ｃはアルミ製であるので、ステンレス製のシャッタよりも熱伝導性に優れ、インタークーラ７１Ｂ，７１Ｃの冷却効率を高めることができる。
【００５７】
また、本発明の実施形態３に係るシャッタ８２Ｂ，８２Ｃは、マグネシウムで被覆されている。本発明の実施形態３に係るシャッタ８２Ｂ，８２Ｃは、マグネシウムで被覆されるので、酸性液中でシャッタ（母材となるアルミ）を保護することができる。すなわち、シャッタ８２Ｂ，８２Ｃを酸性溶液中でアルミよりも溶けやすいマグネシウムで被覆することで、母材のアルミを保護することができる。
【００５８】
本発明は上述した実施形態に限定されることはなく、上述した実施形態に変形を加えた形態や、これらの形態を適宜組み合わせた形態も含まれる。
【符号の説明】
【００５９】
１    エンジン（内燃機関）
２    エンジン本体（内燃機関本体）
３    燃料供給系統
４    吸気系統（吸気装置）
４１    吸気通路
４３    ターボチャージャ
４５，４５Ｂ    インテークマニホールド
４５１    吸気ブランチ
４５２    本体部
４５３    収容空間
４５４    底壁
５    排気系統
５１    排気通路
６    再循環系統
６１    ＥＧＲ通路
６２    ＥＧＲクーラー
６３    ＥＧＲバルブ
７    吸気冷却装置
７１，７１Ｂ，７１Ｃ    インタークーラ
７２    ラジエータ
７３    ウォータポンプ
７４    冷却水層
７５    空気層
７９    取付部
８２，８２Ｂ，８２Ｃ    シャッタ
８２Ｂ１，８２Ｃ１    通気口
８２Ｂ２，８２Ｃ２    通気孔
８２Ｃ１，８２Ｃ２    通気孔
８３    アクチュエータ
９    制御部
Ａ    吸気
Ｔ    隙間
Ｗ    凝縮水
【図１】
0006601291.tif 000002
【図２】
0006601291.tif 000003
【図３】
0006601291.tif 000004
【図４】
0006601291.tif 000005
【図５】
0006601291.tif 000006
【図６】
0006601291.tif 000007
【図７】
0006601291.tif 000008